(57)【要約】【課題】簡易な構造であって、周方向に巻き付けられた糸を径方向に容易に引き出すことができる糸巻付け体及び糸巻付け部材を提供すること。【解決手段】糸巻付け体１は、筒状部４が設けられた本体部２０を有する糸巻付け部材２と、糸巻付け部材２における本体部２０の筒状部４の外周面４００に巻き付けられた糸３と、を備える。本体部２０は、筒状部４の上端部４０１に設けられ、筒状部４の外周面４００に巻き付けられた糸３の糸端部３２を筒状部４の径方向内側に形成された内部空間４０に挿通する挿通部４４と、筒状部４の上端部４０１において周方向に形成して設けられ、挿通部４４から内部空間４０に挿通する糸３の糸端部３２を支持する支持部４５と、筒状部４の下端部４０２に設けられ、糸３の糸端部３２を内部空間４０から筒状部４の径方向外側に向かって挿通して引き出す引出部４６と、を有する。【選択図】図１
2019055881.tif 000002
【特許請求の範囲】
【請求項１】
少なくとも一部に筒状部が設けられた本体部を有する糸巻付け部材と、
前記糸巻付け部材における前記本体部の前記筒状部の外周面に巻き付けられた糸と、を備え、
前記本体部は、
前記筒状部の軸方向一端側に設けられ、前記筒状部の前記外周面に巻き付けられた前記糸の一端部を前記筒状部の径方向内側に形成された内部空間に挿通する挿通部と、
前記筒状部の軸方向一端側において周方向に形成して設けられ、前記挿通部から前記内部空間に挿通する前記糸の前記一端部を支持する支持部と、
前記筒状部の軸方向他端側に設けられ、前記糸の前記一端部を前記内部空間から前記筒状部の径方向外側に向かって挿通して引き出す引出部と、を有する、
糸巻付け体。
【請求項２】
前記本体部の前記筒状部は、前記糸を巻き付ける巻付け領域をさらに有し、前記巻付け領域よりも軸方向一端側の外径が前記巻付け領域の外径よりも小さい、請求項１に記載の糸巻付け体。
【請求項３】
前記糸巻付け部材は、前記糸巻付け部材の位置を保持するための保持部をさらに有する、請求項１又は２に記載の糸巻付け体。
【請求項４】
少なくとも一部に筒状部が設けられ、前記筒状部の外周面に糸を巻き付ける本体部を備え、
前記本体部は、
前記筒状部の軸方向一端側に設けられ、前記筒状部の前記外周面に巻き付けられる前記糸の一端部を前記筒状部の径方向内側に形成された内部空間に挿通する挿通部と、
前記筒状部の軸方向一端側において周方向に形成して設けられ、前記挿通部から前記内部空間に挿通する前記糸の前記一端部を支持する支持部と、
前記筒状部の軸方向他端側に設けられ、前記糸の前記一端部を前記内部空間から前記筒状部の径方向外側に向かって挿通して引き出す引出部と、を有する、
糸巻付け部材。
【請求項５】
前記本体部の前記筒状部は、前記糸を巻き付ける巻付け領域をさらに有し、前記巻付け領域よりも軸方向一端側の外径が前記巻付け領域の外径よりも小さい、請求項５に記載の糸巻付け部材。
【請求項６】
前記糸巻付け部材の位置を保持するための保持部をさらに備える、請求項４又は５に記載の糸巻付け部材。
【請求項７】
玉巻き状の糸を保持する糸保持部と、
少なくとも一部に筒状部が設けられた本体部と、を備え、
前記糸保持部は、前記糸保持部に保持された玉巻き状の前記糸の一端部を前記本体部の前記筒状部の径方向内側に形成された内部空間に挿通する挿通部を有し、
前記本体部は、前記糸の前記一端部を前記内部空間から前記筒状部の径方向外側に向かって挿通して引き出す引出部を有する、
糸引出し部材。
【請求項８】
前記糸保持部は、玉巻き状の前記糸を保持する凹状の保持凹部を有し、前記保持凹部には、前記挿通部が設けられている、請求項７に記載の糸引出し部材。
【請求項９】
前記糸引出し部材の位置を保持するための保持部をさらに備える、請求項７又は８に記載の糸引出し部材。
【発明の詳細な説明】
【技術分野】
【０００１】
本発明は、糸巻付け体及び糸巻付け部材に関する。
【背景技術】
【０００２】
従来、糸を巻き付ける（巻き取る）ための円筒状の紙管等、各種の糸巻付け部材（糸巻取部材）が知られている。例えば、特許文献１には、糸を外周面に巻き付ける円筒状の糸巻付け部材が開示されている。
【先行技術文献】
【特許文献】
【０００３】
【特許文献１】特開２０１５−１６０７２９号公報
【発明の概要】
【発明が解決しようとする課題】
【０００４】
しかしながら、立てた状態の糸巻付け部材から糸を引き出す際、糸が糸巻付け部材の外周面に周方向に巻き付けられているため、糸を糸巻付け部材の径方向に引き出そうとすると、糸巻付け部材が周方向に回転してしまう。すなわち、糸を糸巻付け部材の径方向に引き出すことは困難である。そのため、糸を糸巻付け部材の軸方向に引っ張って周方向の巻き付けを解除しながら引き出していた。
【０００５】
また、糸を糸巻付け部材の径方向に引き出す場合には、例えば、糸巻付け部材の内側に棒状部材等を挿通させて糸巻付け部材を周方向に回転可能に保持し、糸巻付け部材を周方向に回転させながら糸を糸巻付け部材の径方向に引き出していた。
【０００６】
本発明は、簡易な構造であって、周方向に巻き付けられた糸を径方向に容易に引き出すことができる糸巻付け体及び糸巻付け部材を提供する。また、簡易な構造であって、玉巻き状の糸を容易に引き出すことができる糸引出し部材を提供する。
【課題を解決するための手段】
【０００７】
本発明の一の態様である糸巻付け体は、少なくとも一部に筒状部が設けられた本体部を有する糸巻付け部材と、糸巻付け部材における本体部の筒状部の外周面に巻き付けられた糸と、を備える。本体部は、筒状部の軸方向一端側に設けられ、筒状部の外周面に巻き付けられた糸の一端部を筒状部の径方向内側に形成された内部空間に挿通する挿通部と、筒状部の軸方向一端側において周方向に形成して設けられ、挿通部から内部空間に挿通する糸の一端部を支持する支持部と、筒状部の軸方向他端側に設けられ、糸の一端部を内部空間から筒状部の径方向外側に向かって挿通して引き出す引出部と、を有する。
【０００８】
上記糸巻付け体によれば、糸巻付け部材における本体部の筒状部の外周面に周方向に巻き付けられた糸の一端部を、挿通部から内部空間を介して引出部に通し、その引出部から径方向に引き出すことができる。そして、本体部の挿通部から内部空間に通した糸を、周方向に形成された支持部で支持することができる。
【０００９】
そのため、糸を本体部の引出部から径方向に引き出す際に、糸を支持部で支持しながら、糸の周方向の巻き付けを円滑に解除することができる。これにより、糸巻付け部材における本体部の筒状部の外周面に周方向に巻き付けられた糸を、引出部から径方向に容易に引き出すことができる。
【００１０】
また、糸巻付け体は、他の部材を用いることなく、糸巻付け部材という一つの部材で、すなわち簡易な構造で、周方向に巻き付けられた糸の径方向への容易な引き出しを実現することができる。また、糸巻付け体は、糸巻付け部材を周方向に回転させることなく、周方向に巻き付けられた糸を径方向に容易に引き出すことができる。
【００１１】
上記糸巻付け体において、本体部の筒状部は、糸を巻き付ける巻付け領域をさらに有し、巻付け領域よりも軸方向一端側の外径が巻付け領域の外径よりも小さくてもよい。この場合には、糸を本体部の引出部から径方向に引き出す際に、糸を支持部で支持しながら、糸の周方向の巻き付けをより円滑に解除することができる。
【００１２】
また、糸巻付け部材は、糸巻付け部材の位置を保持するための保持部をさらに有していてもよい。この場合には、糸を本体部の引出部から径方向に引き出す際に、例えば糸巻付け部材が動いたり倒れたりしないように、糸巻付け部材の位置を保持することができる。これにより、周方向に巻き付けられた糸を径方向にさらに容易に引き出すことができる。
【００１３】
本発明の他の態様である糸巻付け部材は、少なくとも一部に筒状部が設けられ、筒状部の外周面に糸を巻き付ける本体部を備える。本体部は、筒状部の軸方向一端側に設けられ、筒状部の外周面に巻き付けられる糸の一端部を筒状部の径方向内側に形成された内部空間に挿通する挿通部と、筒状部の軸方向一端側において周方向に形成して設けられ、挿通部から内部空間に挿通する糸の一端部を支持する支持部と、筒状部の軸方向他端側に設けられ、糸の一端部を内部空間から筒状部の径方向外側に向かって挿通して引き出す引出部と、を有する。
【００１４】
上記糸巻付け部材によれば、本体部の筒状部の外周面に周方向に巻き付けられた糸の一端部を、挿通部から内部空間を介して引出部に通し、その引出部から径方向に引き出すことができる。そして、本体部の挿通部から内部空間に通した糸を、周方向に形成された支持部で支持することができる。
【００１５】
そのため、糸を本体部の引出部から径方向に引き出す際に、糸を支持部で支持しながら、糸の周方向の巻き付けを円滑に解除することができる。これにより、糸巻付け部材における本体部の筒状部の外周面に周方向に巻き付けられた糸を、引出部から径方向に容易に引き出すことができる。
【００１６】
また、糸巻付け部材は、他の部材を用いることなく、すなわち簡易な構造で、周方向に巻き付けられた糸の径方向への容易な引き出しを実現することができる。また、糸巻付け部材は、周方向に回転させることなく、周方向に巻き付けられた糸を径方向に容易に引き出すことができる。
【００１７】
上記糸巻付け部材において、本体部の筒状部は、糸を巻き付ける巻付け領域をさらに有し、巻付け領域よりも軸方向一端側の外径が巻付け領域の外径よりも小さくてもよい。この場合には、糸を本体部の引出部から径方向に引き出す際に、糸を支持部で支持しながら、糸の周方向の巻き付けをより円滑に解除することができる。
【００１８】
また、上記糸巻付け部材は、糸巻付け部材の位置を保持するための保持部をさらに備えていてもよい。この場合には、糸を本体部の引出部から径方向に引き出す際に、例えば糸巻付け部材が動いたり倒れたりしないように、糸巻付け部材の位置を保持することができる。これにより、周方向に巻き付けられた糸を径方向にさらに容易に引き出すことができる。
【００１９】
本発明のさらに他の態様である糸引出し部材は、玉巻き状の糸を保持する糸保持部と、少なくとも一部に筒状部が設けられた本体部と、を備える。糸保持部は、糸保持部に保持された玉巻き状の糸の一端部を本体部の筒状部の径方向内側に形成された内部空間に挿通する挿通部を有する。本体部は、糸の一端部を内部空間から筒状部の径方向外側に向かって挿通して引き出す引出部を有する。
【００２０】
上記糸引出し部材によれば、糸保持部に保持された玉巻き状の糸の一端部を、糸保持部の挿通部から本体部の筒状部の内部空間を介して引出部に通し、その引出部から径方向に引き出すことができる。
【００２１】
そのため、糸を本体部の引出部から径方向に引き出す際に、玉巻き状の糸を糸保持部で保持しながら、糸の巻き付けを円滑に解除することができる。これにより、ランダムな方向に巻き付けられた玉巻き状の糸を、引出部から本体部の筒状部の径方向に容易に引き出すことができる。
【００２２】
また、糸引出し部材は、他の部材を用いることなく、すなわち簡易な構造で、玉巻き状の糸の容易な引き出しを実現することができる。また、糸引出し部材は、糸引出し部材自体を動かしたりすることなく、玉巻き状の糸を容易に引き出すことができる。
【００２３】
また、糸保持部は、玉巻き状の糸を保持する凹状の保持凹部を有し、保持凹部には、挿通部が設けられていてもよい。この場合には、糸保持部の保持凹部に保持された玉巻状の糸の一端部を本体部の筒状部の内部空間に容易に挿通できる。
【００２４】
また、糸引出し部材の位置を保持するための保持部をさらに備えていてもよい。この場合には、糸を本体部の引出部から径方向に引き出す際に、例えば糸引出し部材が動いたり倒れたりしないように、糸引出し部材の位置を保持することができる。これにより、玉巻状の糸を本体部の筒状部の径方向にさらに容易に引き出すことができる。
【図面の簡単な説明】
【００２５】
【図１】第１実施形態の糸巻付け体を示す斜視図である。
【図２】第１実施形態の糸巻付け体を示す断面図である。
【図３】第１実施形態の糸巻付け部材を示す斜視図である。
【図４】第１実施形態の糸巻付け部材を示す断面図である。
【図５】糸巻付け装置を示す説明図である。
【図６】（Ａ）〜（Ｄ）は糸巻付け体から糸を引き出す様子を示す説明図である。
【図７】第２実施形態の糸巻付け体を示す断面図である。
【図８】第３実施形態の糸巻付け体を示す断面図である。
【図９】第４実施形態の糸巻付け体を示す斜視図である。
【図１０】第４実施形態の糸巻付け体を示す断面図である。
【図１１】第４実施形態の糸巻付け部材を示す斜視図である。
【図１２】（Ａ）〜（Ｃ）は糸巻付け部材の筒状上端部を示す平面図、側面図及び底面図である。
【図１３】（Ａ）〜（Ｃ）は糸巻付け部材の筒状下端部を示す平面図、側面図及び底面図である。
【図１４】第５実施形態の糸引出し部材を示す斜視図である。
【図１５】第５実施形態の糸引出し部材を示す断面図である。
【発明を実施するための形態】
【００２６】
以下、本発明の実施形態を図面と共に説明する。
（第１実施形態）
図１、図２に示すように、本実施形態の糸巻付け体１は、糸巻付け部材２と、糸巻付け部材２に巻き付けられた（巻き取られた）糸３と、を備えている。なお、以下の説明では、上下等の方向を用いて説明するが、あくまでも説明の便宜上の表現であり、糸巻付け体１等の向きは特に限定されるものではない。
【００２７】
図３、図４に示すように、糸巻付け部材２は、本体部２０を有する。本体部２０は、円筒形状の筒状部４を有する。本実施形態では、本体部２０全体が筒状部４である。筒状部４の径方向内側には、内部空間４０が形成されている。筒状部４は、大径部４１と、大径部４１よりも軸方向一端側（上側）に設けられ、大径部４１よりも外径が小さい第１小径部４２及び第２小径部４３と、を有する。
【００２８】
第１小径部４２は、筒状部４の軸方向一端部（上端部４０１）に設けられ、軸方向において外径が略同一に形成されている。第２小径部４３は、第１小径部４２と大径部４１との間に設けられ、上側に向かって外径が徐々に小さくなるように縮径して形成されている。
【００２９】
大径部４１は、軸方向において外径が略同一に形成されている。大径部４１は、糸３を巻き付ける巻付け領域４９１と、巻付け領域４９１よりも軸方向他端側（下側）であり、糸３を巻き付けない非巻付け領域４９２と、を有する。巻付け領域４９１よりも上側（第１小径部４２及び第２小径部４３）の外径は、巻付け領域４９１の外径よりも小さい、
【００３０】
図１、図２に示すように、筒状部４の外周面４００には、糸３が周方向に巻き付けられている。本実施形態において、大径部４１の巻付け領域４９１には、糸３が周方向に巻き付けられ、糸巻部３１が形成されている。一方、大径部４１の非巻付け領域４９２には、糸３が巻き付けられていない。
【００３１】
また、筒状部４において、第１小径部４２及び第２小径部４３にも、糸３が巻き付けられていない。すなわち、第１小径部４２及び第２小径部４３も、糸３を巻き付けない非巻付け領域４９２である。
【００３２】
図１〜図４に示すように、糸巻付け部材２において、筒状部４は、上端部４０１（第１小径部４２）において、開口して設けられた挿通部４４を有する。本実施形態において、筒状部４は、軸方向一端（上端）が軸方向に開口しており、その上端の開口部分に挿通部４４が設けられている。
【００３３】
挿通部４４は、筒状部４の外周面４００に巻き付けられた糸３の一端部（糸巻部３１から糸３を引き出した部分である糸端部３２）を筒状部４の内部空間４０に挿通できるよう構成されている。
【００３４】
筒状部４は、上端部４０１（第１小径部４２）において、周方向に形成して設けられた支持部４５を有する。本実施形態において、支持部４５は、挿通部４４を形成している筒状部４の上端縁部によって周方向に環状に設けられている。
【００３５】
支持部４５は、筒状部４の挿通部４４から内部空間４０に挿通する糸端部３２を支持できるよう構成されている。支持部４５は、糸端部３２を折り返すようにして支持できるように構成されている。
【００３６】
筒状部４は、軸方向他端部（下端部４０２）において、径方向に貫通して形成された引出部４６を有する。引出部４６は、大径部４１の非巻付け領域４９２に設けられている。引出部４６は、大径部４１の巻付け領域４９１よりも下側に設けられている。
【００３７】
引出部４６は、径方向に開口しており、糸端部３２を内部空間４０から筒状部４の径方向外側に挿通できるよう構成されている。すなわち、引出部４６は、糸端部３２を内部空間４０から筒状部４の径方向外側に向かって引き出すことができるよう構成されている。引出部４６は、場合によっては、糸端部３２を引出部４６の一部（例えば内壁面等）で支持しながら筒状部４の径方向外側に向かって引き出すことができるよう構成されている。
【００３８】
筒状部４の外周面４００に巻き付けられた糸３は、糸巻部３１から糸端部３２として引き出され、さらに筒状部４の挿通部４４から内部空間４０を通って引出部４６から筒状部４の径方向外側に向かって引き出されている。
【００３９】
また、糸巻付け部材２は、筒状部４の軸方向他端（下端）を閉塞する底部５を有する。糸巻付け部材２は、筒状部４と底部５とが一体的に形成されている。糸巻付け部材２において、筒状部４と底部５とは、一体的に形成されていなくてもよい。また、底部５を設けない構成とすることもできる。
【００４０】
糸巻付け部材２は、光透過性を有するＰＥＴ（ポリエチレンテレフタレート）で構成されている。糸巻付け部材２の材質は、これに限定されるものではなく、例えば、紙材、木材、樹脂、陶器、セラミック、金属等であってもよい。また、糸巻付け部材２は、光透過性を有する材料で構成されていてもよいし、光透過性を有しない材料で構成されていてもよい。
【００４１】
糸巻付け部材２は、糸巻付け部材２の位置を保持するための複数の保持部６を有する。本実施形態において、保持部６は、糸巻付け部材２の内部に設けられた（筒状部４の内部空間４０に設けられた）重しである。重しとしては、例えば、ビー玉等を用いることができる。
【００４２】
糸巻付け体１は、糸巻付け部材２を上下方向に立てた状態で、糸巻付け体１を載置する載置面Ａに対して載置することができる。糸巻付け部材２は、重しである保持部６によって、載置面Ａに対する位置を保持することができる。
【００４３】
次に、図５を用いて、糸巻付け装置７について説明する。
糸巻付け装置７は、手動で糸巻付け部材２に糸３を巻き付ける（巻き取る）装置である。糸巻付け装置７は、自動で糸巻付け部材２に糸３を巻き付ける装置であってもよい。
【００４４】
糸巻付け装置７は、持ち手部７１１を有する回転可能な回転ハンドル７１と、回転ハンドル７１に連結され、回転ハンドルと共に回転可能な回転軸部７２と、回転軸部７２に連結され、回転軸部７２と共に回転可能な第１歯車部７３と、第１歯車部７３に噛み合うように配置され、第１歯車部７３と共に回転可能であり、第１歯車部７３よりも外径が小さい第２歯車部７４と、を備えている。
【００４５】
第１歯車部７３の外周端部には、棒状の第１連結部７５の一端が連結されている。第１連結部７５の他端には、棒状の第２連結部７６の一端が連結されている。第２連結部７６の他端には、糸３を通す穴を有する糸通し部７６１が設けられている。第１連結部７５及び第２連結部７６は、第１歯車部７３の回転に連動して糸巻付け部材２の軸方向に往復運動する。
【００４６】
第２歯車部７４には、糸巻付け部材２の筒状部４の上端部４０１を固定する固定部７７が設けられている。糸巻付け部材２は、固定部７７に固定された状態で、第２歯車部７４の回転に連動して回転する。
【００４７】
糸巻付け装置７は、持ち手部７１１を用いて回転ハンドル７１を回転させると、回転軸部７２を介して第１歯車部７３が回転する。第１歯車部７３が回転すると、第１歯車部７３の回転に連動して第２歯車部７４が回転し、固定部７７に固定された糸巻付け部材２が回転する。これと同時に、第１歯車部７３の回転に連動して第１連結部７５と糸通し部７６１によって糸３を保持している第２連結部７６とが糸巻付け部材２の軸方向に往復運動する。
【００４８】
これにより、糸巻付け部材２の筒状部４の外周面４００に、糸３が巻き付けられる。そして、糸巻付け部材２の筒状部４の外周面４００に巻き付けられた糸３の一端部を、筒状部４の挿通部４４から内部空間４０を介して引出部４６まで挿通させたシリコンチューブ７８に通す。その後、シリコンチューブ７８を糸巻付け部材２から取り除けば、図１に示す糸巻付け体１が得られる。
【００４９】
なお、本実施形態では、シリコンチューブ７８を用いて糸３の一端部を筒状部４の内部に通したが、糸３を通す方法は、人の手で行ってもよいし、エアー等を使って自動で行ってもよい。また、シリコンチューブ７８以外の方法を用いて、糸３の一端部を筒状部４の内部に通してもよい。
【００５０】
次に、図６（Ａ）〜（Ｄ）を用いて、糸巻付け体１からの糸３の引き出しについて説明する。
まず、図６（Ａ）に示すように、糸巻付け部材２の筒状部４の引出部４６から外部に露出している糸端部３２の先端部を筒状部４の径方向に引っ張ると、筒状部４の外周面４００の糸巻部３１から糸３が引き出される。
【００５１】
そして、図６（Ｂ）〜（Ｄ）に示すように、糸端部３２を筒状部４の支持部４５で支持した状態で、糸巻部３１における糸３の周方向の巻き付けが解除される。このとき、糸端部３２を支持部４５で支持している位置が周方向に移動しながら、糸巻部３１における糸３の周方向の巻き付けが解除される。これにより、糸巻付け部材２の筒状部４の外周面４００に周方向に巻き付けられた糸３を、糸巻付け部材２を回転させることなくそのままの状態で、筒状部４の引出部４６から径方向に容易に引き出すことができる。
【００５２】
次に、本実施形態の糸巻付け体１（糸巻付け部材２）における作用効果について説明する。
本実施形態の糸巻付け体１によれば、糸巻付け部材２における本体部２０の筒状部４の外周面４００に周方向に巻き付けられた糸３の一端部（糸端部３２）を、挿通部４４から内部空間４０を介して引出部４６に通し、その引出部４６から径方向に引き出すことができる。そして、本体部２０（筒状部４）の挿通部４４から内部空間４６に通した糸３（糸端部３２）を、周方向に形成された支持部４５で支持することができる。
【００５３】
そのため、糸３を本体部２０（筒状部４）の引出部４６から径方向に引き出す際に、糸３を支持部４５で支持しながら、糸３の周方向の巻き付けを円滑に解除することができる。これにより、糸巻付け部材２における本体部２０の筒状部４の外周面４００に周方向に巻き付けられた糸３を、引出部４６から径方向に容易に引き出すことができる。
【００５４】
また、糸巻付け体１は、他の部材を用いることなく、糸巻付け部材２という一つの部材で、すなわち簡易な構造で、周方向に巻き付けられた糸３の径方向への容易な引き出しを実現することができる。また、糸巻付け体１は、糸巻付け部材２を周方向に回転させることなく、周方向に巻き付けられた糸３を径方向に容易に引き出すことができる。
【００５５】
また、本実施形態の糸巻付け体１において、筒状部４は、糸３を巻き付ける巻付け領域４９１をさらに有し、巻付け領域４９１よりも上側（第１小径部４２、第２小径部４３）の外径が巻付け領域４９１の外径よりも小さい。そのため、糸３を筒状部４の引出部４６から径方向に引き出す際に、糸３を支持部４５で支持しながら、糸３の周方向の巻き付けをより円滑に解除することができる。
【００５６】
また、糸巻付け部材２は、糸巻付け部材２の位置を保持するための保持部６をさらに有する。そのため、糸３を筒状部４の引出部４６から径方向に引き出す際に、例えば糸巻付け部材２が動いたり傾いたり倒れたりしないように、糸巻付け部材２の位置を保持することができる。これにより、周方向に巻き付けられた糸３を径方向にさらに容易に引き出すことができる。
【００５７】
（第２実施形態）
本実施形態は、図７に示すように、糸巻付け体１及び糸巻付け部材２において、保持部６を変更した例である。なお、第１実施形態と同様の構成及び作用効果については説明を省略する。
【００５８】
保持部６は、糸巻付け部材２の底部５の下面に取り付けられたシート状の樹脂製の滑り止め部材である。滑り止め部材の材質は、これに限定されるものではなく、樹脂以外の他の材質であってもよい。糸巻付け部材２は、滑り止め部材である保持部６によって、載置面Ａに対する位置を保持することができる。
【００５９】
（第３実施形態）
本実施形態は、図８に示すように、糸巻付け体１及び糸巻付け部材２において、筒状部４の形状を変更した例である。なお、第１実施形態と同様の構成及び作用効果については説明を省略する。
【００６０】
糸巻付け部材２において、筒状部４は、略円錐形状に形成され、上側に向かって外径が徐々に小さくなるように縮径して形成されている。筒状部４は、巻付け領域４９１よりも上側の外径が巻付け領域４９１の外径よりも小さい。
【００６１】
（第４実施形態）
本実施形態は、図９〜図１３に示すように、糸巻付け体１及び糸巻付け部材２において、糸巻付け部材２の構成及び形状を変更した例である。なお、第１実施形態と同様の構成及び作用効果については説明を省略する。
【００６２】
図９、図１０に示すように、本実施形態の糸巻付け体１は、糸巻付け部材２と糸３とを備えている。糸巻付け部材２は、本体部２０を有する。本体部２０は、円筒形状の筒状部４を有する。筒状部４の径方向内側には、内部空間４０が形成されている。
【００６３】
図１１に示すように、筒状部４は、筒状上端部（筒状一端部）４Ａと筒状中間部４Ｂと筒状下端部（筒状他端部）４Ｃとを組み付けて構成されている。筒状上端部４Ａは、筒状部４の軸方向一端部（上端部４０１）を構成している。筒状下端部４Ｃは、筒状部４の軸方向他端部（下端部４０２）を構成している。筒状中間部４Ｂは、筒状部４における筒状上端部４Ａと筒状下端部４Ｃとの間の部分を構成している。
【００６４】
筒状上端部４Ａ及び筒状下端部４Ｃの材質は木材であり、筒状中間部４Ｂの材質は紙材である。筒状上端部４Ａ、筒状中間部４Ｂ、筒状下端部４Ｃの径方向内側には、それぞれ内部空間４０Ａ、４０Ｂ、４０Ｃが形成されている。筒状部４の内部空間４０は、内部空間４０Ａ、４０Ｂ、４０Ｃにより構成されている。
【００６５】
筒状中間部４Ｂは、いわゆる紙管、ボビン等と呼ばれる部材により構成され、上側に向かって外径が徐々に小さくなるように縮径して形成されている。筒状中間部４Ｂの外周面４００Ｂには、糸３が周方向に巻き付けられ、糸巻部３１が形成されている。なお、筒状中間部４Ｂの外周面４００Ｂは、筒状部４の外周面４００の一部である。
【００６６】
図１１、図１２（Ａ）〜（Ｃ）に示すように、筒状上端部４Ａは、上部４１Ａと下部４２Ａとにより構成されている。上部４１Ａは、上側に向かって外径が徐々に小さくなるように縮径して形成された略円錐台形状である。上部４１Ａの外周面は、やや曲面状に形成されている。下部４２Ａは、下側に向かって外径が徐々に小さくなるように縮径して形成された略円錐台形状である。上部４１Ａの上端の外径は、下部４２Ａの下端の外径よりも小さい。
【００６７】
筒状上端部４Ａの上部４１Ａは、開口して設けられた挿通部４４を有する。本実施形態において、筒状上端部４Ａは、軸方向一端（上端）が軸方向に開口しており、その上端の開口部分に挿通部４４が設けられている。挿通部４４は、筒状中間部４Ｂの外周面４００Ｂに巻き付けられた糸３の一端部（糸端部３２）を筒状上端部４Ａの内部空間４０Ａに挿通できるよう構成されている。
【００６８】
筒状上端部４Ａの上部４１Ａは、周方向に形成して設けられた支持部４５を有する。本実施形態において、支持部４５は、挿通部４４を形成している筒状上端部４Ａの上端縁部によって周方向に環状に設けられている。支持部４５は、筒状上端部４Ａの挿通部４４から内部空間４０Ａに挿通する糸端部３２を支持できるよう構成されている。支持部４５は、糸端部３２を折り返すようにして支持できるように構成されている。
【００６９】
下部４２Ａの下端面には、凹状に形成された凹部４３Ａが設けられている。凹部４３Ａの内径は、内部空間４０Ａにおける凹部４３Ａ以外の内径よりも大きい。凹部４３Ａの内側には、筒状中間部４Ｂの上端部が差し込まれている。筒状上端部４Ａと筒状中間部４Ｂとは着脱可能に構成されている。
【００７０】
図１１、図１３（Ａ）〜（Ｃ）に示すように、筒状下端部４Ｃは、大径部４１Ｃと、大径部４１Ｃよりも軸方向一端側（上側）に設けられ、大径部４１Ｃよりも外径が小さい小径部４２Ｃとを有する。小径部４２Ｃは、大径部４１Ｃから上側に突出するように凸状に形成され、筒状中間部４Ｂの下端部の内側に差し込まれている。筒状下端部４Ｃと筒状中間部４Ｂとは着脱可能に構成されている。
【００７１】
筒状下端部４Ｃの大径部４１Ｃは、径方向に貫通して形成された引出部４６を有する。引出部４６は、径方向に開口しており、糸端部３２を筒状下端部４Ｃの内部空間４０Ｃから筒状下端部４Ｃの径方向外側に挿通できるよう構成されている。すなわち、引出部４６は、糸端部３２を筒状下端部４Ｃの内部空間４０Ｃから筒状下端部４Ｃの径方向外側に向かって引き出すことができるよう構成されている。
【００７２】
筒状下端部４Ｃの下端面には、凹状の溝部４３Ｃが設けられている。溝部４３Ｃは、大径部４１Ｃの外周面から内周面まで径方向に形成されている。溝部４３Ｃは、引出部４６と連通している。溝部４３Ｃを設けることにより、糸端部３２を内部空間４０Ｃから溝部４３Ｃを介して引出部４６に挿通させやすくなる。
【００７３】
筒状下端部４Ｃには、大径部４１Ｃの外周面から大径部４１Ｃ及び小径部４２Ｃの内周面まで径方向に形成され、上下方向に開放された開放部４４Ｃが設けられている。開放部４４Ｃを設けることにより、例えば、開放部４４Ｃから筒状中間部４０Ｂの内部空間４０Ｂに指を入れて、糸端部３２を筒状中間部４０Ｂの内部空間４０Ｂから筒状下端部４Ｃの内部空間４０Ｃに引っ張り出しやすくなる。
【００７４】
筒状下端部４Ｃの下端面には、保持部６が設けられている。保持部６は、第２実施形態と同様に、シート状の樹脂製の滑り止め部材である。糸巻付け部材２は、滑り止め部材である保持部６によって、載置面Ａに対する位置を保持することができる。
【００７５】
図９、図１０に示すように、筒状中間部４Ｂの外周面４００Ｂに巻き付けられた糸３は、糸巻部３１から糸端部３２として引き出され、さらに筒状上端部４Ａの挿通部４４から筒状上端部４Ａの内部空間４０Ａ、筒状中間部４Ｂの内部空間４０Ｂ、筒状下端部４Ｃの内部空間４０Ｃを順に通って筒状下端部４Ｃの引出部４６から筒状下端部４Ｃの径方向外側に向かって引き出されている。
【００７６】
具体的には、筒状中間部４Ｂの外周面４００Ｂに巻き付けられた糸３を、糸巻部３１から糸端部３２として引き出し、筒状上端部４Ａの挿通部４４から筒状上端部４Ａの内部空間４０Ａ、筒状中間部４Ｂの内部空間４０Ｂ、筒状下端部４Ｃの内部空間４０Ｃを順に通す。このとき、開放部４４Ｃから筒状中間部４０Ｂの内部空間４０Ｂに指を入れて、糸端部３２を筒状中間部４０Ｂの内部空間４０Ｂから筒状下端部４Ｃの内部空間４０Ｃに引っ張り出す。その後、糸端部３２を筒状下端部４Ｃの内部空間４０Ｃから溝部４３Ｃを介して引出部４６に挿通させる。
【００７７】
糸巻付け体１からの糸３の引き出しについては、上述した第１実施形態と同様の手順や動作である（図６（Ａ）〜（Ｄ）参照）。
【００７８】
本実施形態の糸巻付け体１及び糸巻付け部材２によれば、外周面４００Ｂに糸３が巻き付けられた（糸巻部３１が形成された）状態の筒状中間部４Ｂ（例えば、糸を巻き付けた紙管、ボビン等）に、筒状上端部４Ａ及び筒状下端部４Ｃを組み付けることにより、糸巻付け体１及び糸巻付け部材２を容易に構成することができる。
【００７９】
（第５実施形態）
図１４、図１５に示すように、本実施形態の糸引出し部材８２は、本体部８２０と糸保持部８２１とを備えている。なお、以下の説明では、上下等の方向を用いて説明するが、あくまでも説明の便宜上の表現であり、糸引出し部材８２等の向きは特に限定されるものではない。また、第１〜第４実施形態と同様の構成及び作用効果については説明を適宜省略する。
【００８０】
糸保持部８２１は、内部が中空の半球状に形成されており、玉巻き状の糸８３を保持する凹状の保持凹部８２２を有する。保持凹部８２２の底部には、厚み方向に貫通してなる貫通孔である挿通部８２３が設けられている。糸保持部８２１には、糸保持部８２１の底部から突出するように設けられ、本体部８２０と連結するための円筒形状の連結部８２４を有する。挿通部８２３は、保持凹部８２２内と連結部８２４内とを連通するように形成されている。
【００８１】
ここで、玉巻き状の糸８３とは、玉巻き器等を用いて糸を玉状、例えば略球状や略楕円球状に巻いたものである。本実施形態では、糸８３がランダムな方向に玉状となるように巻き付けられ、玉巻き状の糸巻部３１が形成されている。糸巻部３１には、例えば玉巻き器のボビン（芯材）に当たる部分に形成された開口や空間があるが、図１４、図１５では図示を省略している。
【００８２】
本体部８２０は、筒状部８４を有する。本実施形態では、本体部８２０全体が筒状部８４である。筒状部８４は、第４実施形態の筒状下端部４Ｃ（図９〜図１１、図１３参照）と同様の構成である。筒状部８４の径方向内側には、内部空間８４０が形成されている。筒状部８４は、大径部８４１と、大径部８４１よりも軸方向一端側（上側）に設けられ、大径部８４１よりも外径が小さい小径部８４２とを有する。小径部８４２は、大径部８４１から上側に突出するように凸状に形成され、連結部８２４の内側に差し込まれている。本体部８２０（筒状部８４）と糸保持部８２１とは着脱可能に構成されている。
【００８３】
筒状部８４の大径部８４１は、径方向に貫通して形成された引出部８４６を有する。引出部８４６は、径方向に開口しており、糸端部８３２を筒状部８４の内部空間８４０から筒状部８４の径方向外側に挿通できるよう構成されている。すなわち、引出部８４６は、糸端部８３２を筒状部８４の内部空間８４０から筒状部８４の径方向外側に向かって引き出すことができるよう構成されている。引出部８４６は、場合によっては、糸端部８３２を引出部８４６の一部（例えば内壁面等）で支持しながら筒状部８４の径方向外側に向かって引き出すことができるよう構成されている。
【００８４】
筒状部８４の軸方向他端側（下側）の端面（下端面）には、凹状の溝部８４３が設けられている。溝部８４３は、大径部８４１の外周面から内周面まで径方向に形成されている。溝部８４３は、引出部８４６と連通している。溝部８４３を設けることにより、糸端部８３２を内部空間８４０から溝部８４３を介して引出部８４６に挿通させやすくなる。
【００８５】
筒状部８４には、大径部８４１の外周面から大径部８４１及び小径部８４２の内周面まで径方向に形成され、上下方向に開放された開放部８４４が設けられている。開放部８４４を設けることにより、例えば、開放部８４４から小径部８４２内に指を入れて、糸端部８３２を小径部８４２内から大径部８４１内に引っ張り出しやすくなる。
【００８６】
筒状部８４の下端面には、保持部８６が設けられている。保持部８６は、第２実施形態の保持部６と同様に、シート状の樹脂製の滑り止め部材である。糸引出し部材８２は、滑り止め部材である保持部８６によって、載置面Ａに対する位置を保持することができる。
【００８７】
糸保持部８２１に保持された玉巻き状の糸８３は、糸巻部８３１から糸端部８３２として引き出され、さらに糸保持部８２１の挿通部８２３から筒状部８４の内部空間８４０を通って筒状部８４の引出部８４６から筒状部８４の径方向外側に向かって引き出されている。
【００８８】
具体的には、糸保持部８２１に保持された玉巻き状の糸８３を、糸巻部３１から糸端部３２として引き出し、糸保持部８２１の挿通部８２３から筒状部８４の小径部８４２内、大径部８４１内を順に通す。このとき、開放部８４４から小径部８４２内に指を入れて、糸端部３２を小径部８４２内から大径部８４１内に引っ張り出す。その後、糸端部３２を筒状部８４の小径部８４２内から溝部８４３を介して引出部８４６に挿通させる。
【００８９】
糸引出し部材８２（本体部８２０、糸保持部８２１）は、木材で構成されている。糸引出し部材８２の材質は、これに限定されるものではなく、例えば、紙材、木材、樹脂、陶器、セラミック、金属等であってもよい。
【００９０】
次に、図１４、図１５を用いて、糸引出し部材８２からの糸８３の引き出しについて説明する。
まず、糸引出し部材８２の筒状部８４の引出部８４６から外部に露出している糸端部３２の先端部を筒状部８４の径方向に引っ張ると、糸保持部８２１の保持凹部８２２内に保持された玉巻き状の糸巻部８３１から糸８３が挿通部８２３を介して引き出される。
【００９１】
そして、糸巻部８３１を糸保持部８２１で保持しながら、糸８３の巻き付けを円滑に解除することができる。このとき、糸保持部８２１で保持されている糸巻部８３１がその場で回転しながら、糸巻部８３１における糸８３のランダムな方向の巻き付けが解除される。これにより、ランダムな方向に巻き付けられた玉巻き状の糸８３を、引出部８４６から本体部８２０の筒状部８４の径方向に容易に引き出すことができる。
【００９２】
次に、本実施形態の糸引出し部材８２における作用効果について説明する。
本実施形態の糸引出し部材８２によれば、糸保持部８２１に保持された玉巻き状の糸８３の一端部を、糸保持部８２１の挿通部８２３から本体部８２０の筒状部８４の内部空間８４０を介して引出部８４６に通し、その引出部８４６から径方向に引き出すことができる。
【００９３】
そのため、糸８３を本体部８２０の引出部８４６から径方向に引き出す際に、玉巻き状の糸８３を糸保持部８２１で保持しながら、糸８３の巻き付けを円滑に解除することができる。これにより、ランダムな方向に巻き付けられた玉巻き状の糸８３を、引出部８４６から本体部８２０の筒状部８４の径方向に容易に引き出すことができる。
【００９４】
また、糸引出し部材８２は、他の部材を用いることなく、すなわち簡易な構造で、玉巻き状の糸８３の容易な引き出しを実現することができる。また、糸引出し部材８２は、糸引出し部材８２自体を動かしたりすることなく、玉巻き状の糸８３を容易に引き出すことができる。
【００９５】
また、糸保持部８２１は、玉巻き状の糸８３を保持する凹状の保持凹部８２２を有し、保持凹部８２２には、挿通部８２３が設けられている。そのため、糸保持部８２１の保持凹部８２２に保持された玉巻状の糸８３の一端部を本体部８２０の筒状部８４の内部空間８４０に容易に挿通できる。
【００９６】
また、糸引出し部材８２の位置を保持するための保持部８６を備えている。そのため、糸３を本体部８２０の引出部８４６から径方向に引き出す際に、例えば糸引出し部材８２が動いたり倒れたりしないように、糸引出し部材８２の位置を保持することができる。これにより、玉巻状の糸８３を本体部８２０の筒状部８４の径方向にさらに容易に引き出すことができる。
【００９７】
（その他の実施形態）
本発明は、上記実施形態に何ら限定されるものではなく、本発明を逸脱しない範囲において種々の態様で実施しうることはいうまでもない。
【００９８】
（１）上記第１〜第５実施形態において、筒状部の軸方向に直交する断面は円形であったが、例えば、楕円形であってもよいし、四角形等の多角形であってもよい。また、筒状部の外径は、軸方向において適宜変化させることができる。また、筒状部の内部空間は、少なくとも糸が通せるだけの内径があればよい。
【００９９】
（２）上記第１〜第５実施形態において、保持部は、第１及び第３実施形態のような重しであったり、第２実施形態のような滑り止め部材であったりしたが、その他の態様であってもよい。例えば、載置面に直接固定するための固定部材、載置面に設けられた被固定部材に対して固定するための固定部材等であってもよい。また、糸巻付け部材（糸引出し部材）自体で位置を十分に保持できるのであれば、保持部を有しない構成としてもよい。
【０１００】
（３）上記第１〜第５実施形態において、本体部は、少なくとも一部に筒状部が設けられていればよい。すなわち、本体部の一部に筒状部が設けられていてもよいし、第１〜第５実施形態のように本体部全体が筒状部であってもよい。また、本体部は、筒状部以外の部分が設けられていてもよい。また、本体部や筒状部は、第１〜第３実施形態や第５実施形態のように１つの部材で構成されていてもよいし、第４実施形態のように複数の部材で構成されていてもよい。
【０１０１】
（４）上記第１〜第４実施形態では、糸巻付け部材において、本体部の筒状部の外周面に糸が巻き付けられるが、さらに本体部における筒状部以外の部分、本体部以外の部分等に糸が巻き付けられていてもよい。すなわち、糸が巻き付けられる箇所は、本体部における筒状部だけでなく、本体部における筒状部以外の部分、本体部以外の部分等であってもよい。
【０１０２】
（５）上記第１〜第４実施形態において、挿通部は、本体部における筒状部の軸方向一端側の部分に設けられていればよく、必ずしも筒状部に設けられていなくてもよい。すなわち、挿通部は、第１〜第４実施形態のように本体部における筒状部に設けられていてもよいし、本体部における筒状部以外の部分に設けられていてもよい。また、挿通部は、第１〜第４実施形態のように開口であってもよいし、開口を有する通路であってもよいし、その他の形状、態様であってもよい。
【０１０３】
（６）上記第１〜第４実施形態において、支持部は、本体部における筒状部の軸方向一端側の部分に設けられていればよく、必ずしも筒状部に設けられていなくてもよい。すなわち、支持部は、第１〜第４実施形態のように本体部における筒状部に設けられていてもよいし、本体部における筒状部以外の部分に設けられていてもよい。また、支持部は、第１〜第４実施形態のように筒状部の端縁部であってもよいし、その他の形状、態様であってもよい。
【０１０４】
（７）上記第１〜第４実施形態において、引出部は、本体部における筒状部の軸方向他端側の部分に設けられていればよく、必ずしも筒状部に設けられていなくてもよい。すなわち、支持部は、第１〜第４実施形態のように本体部における筒状部に設けられていてもよいし、本体部における筒状部以外の部分に設けられていてもよい。また、引出部は、第１〜第４実施形態のように開口であってもよいし、開口を有する通路であってもよいし、その他の形状、態様であってもよい。
【０１０５】
（８）上記第１〜第４実施形態において、本体部の筒状部は、巻付け領域よりも軸方向一端側の外径が巻付け領域の外径よりも小さくてもよいが、巻付け領域よりも軸方向一端側の外径が巻付け領域の外径よりも大きい態様であってもよい。
【０１０６】
（９）上記第１〜第４実施形態において、糸巻付け部材としては、例えば、ペットボトル等を適用してもよい。また、糸巻付け部材を光透過性の材料で構成し、糸巻付け部材内に照明等を配置し、照明からの光が糸巻付け部材に巻き付けられた糸と糸との間から漏れるようにすることにより、糸巻付け体をインテリア等として用いることができる。
【０１０７】
（１０）上記第５実施形態において、糸保持部は、内部が中空の半球状に形成されているが、糸保持部の形状はこれに限定されるものではなく、玉巻き状の糸を保持することができる形状であれば、どのような形状であってもよい。
【０１０８】
（１１）上記第５実施形態において、引出部は、本体部の筒状部に設けられているが、必ずしも筒状部に設けられていなくてもよい。すなわち、引出部は、本体部における筒状部に設けられていてもよいし、本体部における筒状部以外の部分に設けられていてもよい。また、引出部は、開口であってもよいし、開口を有する通路であってもよいし、その他の形状、態様であってもよい。
【０１０９】
（１２）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【符号の説明】
【０１１０】
１…糸巻付け体、２…糸巻付け部材、３…糸、４…筒状部、５…底部、６…保持部、２０…本体部、３１…糸巻部、３２…糸端部、４０…内部空間、４１…大径部、４２…第１小径部、４３…第２小径部、４４…挿通部、４５…支持部、４６…引出部、４００…外周面、４０１…上端部、４０２…下端部、４９１…巻付け領域、４９２…非巻付け領域、Ａ…載置面
【図１】
2019055881.tif 000003
【図２】
2019055881.tif 000004
【図３】
2019055881.tif 000005
【図４】
2019055881.tif 000006
【図５】
2019055881.tif 000007
【図６】
2019055881.tif 000008
【図７】
2019055881.tif 000009
【図８】
2019055881.tif 000010
【図９】
2019055881.tif 000011
【図１０】
2019055881.tif 000012
【図１１】
2019055881.tif 000013
【図１２】
2019055881.tif 000014
【図１３】
2019055881.tif 000015
【図１４】
2019055881.tif 000016
【図１５】
2019055881.tif 000017